(57)【要約】  本発明は、往復動ピストン式機械、特に自動車の空気調整システムのための冷媒圧縮器（１）に関し、機械軸（２）と、軸が機械軸に対して等しい距離であり、前記機械軸の周りのシリンダ包囲部に配置される複数のピストン（４）と、機械軸（２）によって駆動され、接合構造部（６）によってピストンと係合するリング状の旋回ディスク（５）と、を具備し、前記接合構造部は少なくとも一定の領域に球形の受入部を有し、少なくとも１つの摺動要素が、割り当てられたピストンおよび旋回ディスクに対して可動に配置される。本発明によれば、ピストン軸のシリンダ包囲部の付近に配置される力伝達の中心（Ｋ）は、接合構造部（６）に割り当てられ、前記中心点は、旋回ディスク（５）の回転の検知に対して、対応するピストン軸（１２）の前方に位置決めされる。本発明は、自動車用の冷媒圧縮器に使用することができる。
2005509102.tif 000002
【特許請求の範囲】
【請求項１】
往復動ピストン式機械、特に、自動車空気調整システム用の冷媒圧縮器（１）において、
機械軸（２）と、
ピストン軸が、それぞれの場合において前記機械軸の周りのシリンダ包囲部上において前記機械軸から所定の距離に配置される複数のピストン（４）と、
前記機械軸（２）によって駆動される特に環状の旋回ディスク（５）であって、
それぞれの場合において接合構造部（６）によって前記ピストンと係合する旋回ディスク（５）と、を有し、
前記接合構造部が、少なくとも部分的に球形の受入部を有し、
少なくとも１つの摺動または回転要素が、連接するピストンおよび前記旋回ディスクに対して可動に配置される往復動ピストン式機械であって、
前記接合構造部（６）が、力伝達の中心（Ｋ）を割り当てられ、前記力伝達の中心（Ｋ）は、前記ピストン軸のシリンダ包囲部にほぼ配置され、かつ
前記旋回ディスク（５）の回転方向に対して連接するピストン軸（１２）の前に位置決めされることを特徴とする往復動ピストン式機械。
【請求項２】
前記接合構造部が、球台の形状の第１の摺動面（１８ａ、２０ａ）を備えた第１の摺動要素（１８、２０）と、球台の形状の第２の摺動面（１９ａ、２１ａ）を備えた第２の摺動要素（１９、２１）と、を有し、前記摺動面が前記接合構造部の力伝達の中心（Ｋ）にほぼ一致する共通の幾何学的中心（Ｍ）を有することを特徴とする請求項１に記載の往復動ピストン式機械。
【請求項３】
前記第１の摺動要素（１８、２０）が第１の幾何学的中心（Ｍ１、Ｍ３）を備えた球台の形の前記第１の摺動面（１８ａ、２０ａ）を有し、
前記第２の摺動要素（１９、２１）が第２の幾何学的中心（Ｍ２、Ｍ４）を備えた球台の形の第２の摺動面（１９ａ、２１ａ）を有し、前記第１の幾何学的中心および前記第２の幾何学的中心が互いから一定の距離で配置されることを特徴とする請求項１の前文、特に請求項１に記載の往復動ピストン式機械。
【請求項４】
前記第１の幾何学的中心が前記旋回ディスク（５）の前記中心面（５ａ）の前記ピストンガイドに面する側に配置され、前記第２の幾何学的中心が前記旋回ディスクの前記中心面の前記ピストンガイドとは逆の側に配置されることを特徴とする請求項１あるいは３に記載の往復動ピストン式機械。
【請求項５】
前記第１の幾何学的中心（Ｍ１）が前記旋回ディスクの前記中心面（５ａ）の前記ピストンガイドに面する側に配置され、前記第２の幾何学的中心（Ｍ２）がほぼ前記旋回ディスクの前記中心面（５ａ）上または前記旋回ディスクの前記中心面（５ａ）の前記ピストンガイドに面する側に配置されることを特徴とする請求項１あるいは３に記載の往復動ピストン式機械。
【請求項６】
前記第１の幾何学的中心（Ｍ３）が前記第２の幾何学的中心（Ｍ４）に対する回転方向（ｗ）においてずれるように前記シリンダ包囲部上に配置されることを特徴とする請求項１あるいは３〜５のいずれか一項に記載の往復動ピストン式機械。
【発明の詳細な説明】
【技術分野】
【０００１】
本発明は、請求項１の前文に記載されている往復動ピストン式機械に関する。
【背景技術】
【０００２】
公開公報特許文献１が、一般的な往復動ピストン式機械について開示している。この往復動ピストン式機械は機械の筐体を具備し、その中に複数のピストンが回転駆動軸を中心にした円形の構成に配置されている。駆動力は、駆動軸からドライバによって環状旋回ディスクに伝達され、次に環状旋回ディスクから接合構造部によって機械軸に平行な並進移動において移動可能なピストンに伝達される。この場合には、一方では、旋回ディスクは、機械軸に直線上に移動可能であるように固締される摺動スリーブに旋回可能であるように取り付けられる。他方では、上記の旋回ディスクは、球状キャップの形の２つの滑りブロックによって、旋回ディスクの周囲の接合構造部に沿って摺動可能である。接合構造部において、個別に連接するピストン軸の延長部に配置され、滑りブロックの球形摺動面の幾何学的中心を形成する力伝達の中心が形成される。機械軸、ドライバ、旋回ディスクおよび接合構造部がいわゆる駆動空間に配置され、往復動ピストン式機械の気体作動媒体が一定の圧力下で存在する。ピストンの供給容積および運動、機械軸に対する旋回ディスクの傾きは、ピストンの吸引側と圧力側との間の圧力比に左右されるか、または一方ではシリンダ、他方では駆動空間における圧力に対応して左右される。
【０００３】
【特許文献１】独国特許出願公開  １９７  ４９  ７２７  Ａ１号明細書
【発明の開示】
【発明が解決しようとする課題】
【０００４】
上記に対し、本発明の目的は、改善した動作挙動を備え、より高い性能の往復動ピストン式機械を提供することにある。
【課題を解決するための手段】
【０００５】
本目的は、請求項１〜３の特徴を有する往復動ピストン式機械によって実現される。
【０００６】
本発明による往復動ピストン式機械は、概ねピストン軸のシリンダ包囲部に位置し、旋回ディスクの回転方向に対して連接されるピストン軸の前方に位置決めされる力伝達の中心が割り当てられた接合構造部によって特徴付けられる。は、旋回ディスクと個別のピストンとの間の力伝達が理想的な方法で行われるときの幾何学的な軌跡である。さらに、力伝達の中心は、接合構造部の回転中心と、好適には、複数の摺動要素または回転要素の共通の中心と、を構成する。ピストン軸によって画定されるシリンダ包囲部上で置き換えられ得ることになっている力伝達の中心によって、対応するピストンへ導入される力は影響を受け得る。力伝達の中心がピストン軸の延長上に配置されるという既知の解法に基づいて、力伝達の中心の位置は旋回ディスクの回転方向とは逆のピストン軸の前方に置き換えられることになっており、旋回ディスクの傾斜位置を考慮すると、ピストンに作用するトルクまたは傾斜モーメント、および対応するピストンガイドの支持力が減少する。
【０００７】
本発明の改良例において、接合構造部は球台の形状の第１の摺動面を有する第１の摺動要素および球台の形状の第２の摺動面を有する第２の摺動要素を有し、摺動面は接合構造部の力伝達の中心とほぼ一致する共通の幾何学的中心を有する。このタイプの装置は、特に簡素でコスト効率がよく実現されることができる。旋回ディスクの中心面または旋回ディスクの中心面とピストンガイドとの間に、力伝達の中心を概ね配置することができる。
【０００８】
本発明による往復動ピストン式機械は、別法では、第１の摺動要素が第１の幾何学的中心を備えた球台の形状の第１の摺動面を有し、第２の摺動要素が第２の幾何学的中心を備えた球台の形状の第２の摺動面を有し、第１および第２の中心が互いから一定の距離に配置されることによって特徴付けられる。この配置には余裕があることが好ましく、好適には、正確には旋回ディスクが機械軸と直角を成し、ピストン運動が生じていない「中立位置」であるとき、遊びがあることによって実現される。この場合には、受入部の半径は、摺動面の半径にほぼ等しい。機械軸と９０°未満の角度をなす動作位置に旋回ディスクが調整されている間、摺動要素は受入部によって旋回ディスクに対し圧力をかけている。これにより、旋回ディスクの中立位置からのずれが増大した場合に、接合構造部をプレストレスにすることを、特に容易に実現することができる。
【０００９】
本発明の改良例において、第１の幾何学的中心はピストンガイドに面する旋回ディスクの中心面の側面に配置され、第２の幾何学的中心はピストンガイドとは反対側の旋回ディスクの中心面の側面に配置される。好ましくは、中立位置では、構成は、旋回ディスクの中心面に対して対称に実現される。これは、中立位置から旋回ディスクの任意のずれが生じる場合には、既存の遊びの一様な減少および／または摺動要素の一様な控えを生じることになる。
【００１０】
本発明のさらなる改良例において、第１の幾何学的中心はピストンガイドに面する旋回ディスクの中心面のその側面に配置され、第２の幾何学的中心は旋回ディスクの中心面または同様にピストンガイドに面する旋回ディスクの中心面のその側面にほぼ配置される。これは、全体として、ピストンの方向またはピストンガイドの方向に力伝達の中心が置き換えられることになる。それによって、ピストンへとより低いモーメントが導かれ、ピストンガイド上でより小さい支持力が得られる。
【００１１】
本発明のさらなる改良例において、第１の幾何学的中心は第２の幾何学的中心に対して回転方向においてずれるようにシリンダ包囲部に配置される。これは、第１の方向における旋回ディスクの旋回中には中立位置において存在する遊びの減少を生じ、逆方向の旋回ディスクの旋回中には遊びの増大を生じる。
【００１２】
さらなる特徴および特徴の組み合わせは、説明および図面から得られる。本発明の実際の例示的実施形態は、図面に簡素な形で示され、以下の詳細でさらに詳細に説明される。
【発明を実施するための最良の形態】
【００１３】
図１は、自動車の空気調整システムのための冷媒圧縮器の形の往復動ピストン式機械１の縦断面図を示している。往復動ピストン式機械１は、機械ハウジング３に配置される複数のピストン４を有する。すべてのピストン軸１２は、回転軸１１から所定の距離を置いて、つまり、シリンダ包囲部（図示せず）の機械軸２の周りに幾何学的学的に配置され、機械軸の回転軸１１に平行に向けられている。ピストン４は、円筒状ブッシュ１０（ピストンガイド）内に案内され、その中に円筒状の圧縮空間１３が形成されている（図２〜図４参照）。ピストン４は、いわゆる駆動空間１４から圧縮空間１３を隔絶している（「クランクケース」）。機械軸の回転運動は、以下にさらに詳細に説明する力の伝達装置によってピストン４の並進移動に変換される。
【００１４】
摺動スリーブ９のような形態の摺動体は、機械軸２上で案内される。次に、環状の旋回ディスク５が、摺動スリーブ９に取り付けられ、旋回ディスク５は回転軸１１の方向と平行に、摺動スリーブ９と一緒に、移動可能である。ヒンジ軸８を画定する２つの短ピンが摺動スリーブ９の両側に取り付けられており、これらは、機械軸の回転軸１１に対して横方向に向いており、その回りで旋回ディスク５が旋回可能であるヒンジ軸８を画定する。
【００１５】
ドライバ７が、機械軸２の凹部２ａに固定されている。ドライバ７は、機械軸からほぼ直角に突出し、球状連接によって、旋回ディスクの半径方向に開口した受入部１５内にはめ込まれている（図２参照）。ドライバ７は機械軸に固定されているため、ヒンジ軸８を中心にした旋回ディスクの旋回は、摺動スリーブ９の移動に連動される。往復動ピストン式機械が作動中であるとき、機械軸２の回転はドライバ７によって旋回ディスクに伝達される（矢印ｗの方向の回転移動）。
【００１６】
回転軸１１を通る主中心面は、ヒンジ軸８に垂直に画定され、往復動ピストン式機械の吸引側を圧力側から分離する。主中心面は、機械軸と共に回転する。
【００１７】
旋回ディスク５は、その回転運動ｗが行われるとき、旋回ディスク上を摺動する接合構造部６によって、各ピストン４の領域内で、その周囲が包囲されている。機械軸２に対して旋回ディスク５が傾いている場合には、旋回ディスクは、その回転運動中、圧力側に位置しているピストンに圧縮運動をさせ、吸引側に配置されたピストンに吸引運動をさせる。図２は、機械軸２とピストン４との間での力の伝達の簡単な基本図を示す。
【００１８】
往復動ピストン式機械２の構成および機能についてのさらなる詳細は、特許文献１から得ることができ、この特許文献１は本願明細書に参照されるものとする。特許文献１から分かる往復動ピストン式機械の設計の変形では、接合構造部の力伝達の中心は、シリンダ包囲部に連接された各ピストン軸の延長線上に正確に配置される。
【００１９】
接合構造部６の第１の例示的実施形態が、図３および図４にさらなる詳細について概略的に示されている。この場合には、図３および図４（図５および図６も同様）は、機械軸２の半径方向における外観図を再現し、矢印ｗの方向に動く旋回ディスク５により、図３ではピストン４の吸引運動（矢印ｓ）を生じさせ、図４ではピストン４の圧縮運動（矢印ｖ）を生じさせる。
【００２０】
接合構造部６は、２つの同一の略球形の案内摺動面６ａを有する受入部を有し、球形のキャップの形状の２つの摺動要素１６、１７が取り付けられている。受入部および摺動要素１６、１７には、共通の幾何学的中心Ｍが与えられており、同時に、接合構造部６の力伝達の中心Ｋをなす。受入部の摺動面６ａおよび摺動要素１６、１７の球面は、同一の半径および同一の曲率を有する。摺動要素１６、１７は、旋回ディスク５上にわずかな遊びを伴って設置されている。力伝達の中心Ｋは、すべてのピストン軸を包含するシリンダ包囲部において、回転方向ｗに対向して、連接されたピストン４のピストン軸１２の前方に位置決めされている。ピストン軸１２から力伝達の中心までの距離は、ピストン運動の１０％〜２０％であることが好ましい。
【００２１】
（図３による）吸引運動中に旋回ディスク５によってピストン４に伝達される力Ｆｓは一般に、（図４による）圧縮運動中に伝達される力Ｆｖより著しく小さい。これは同様に、急激に変化する横方向の力ＱｓおよびＱｖを生じることになる。これらの横方向の力ＱｓおよびＱｖは、それぞれの場合のピストンのモーメントに生じ、これは、ピストンガイド１０によって補正されなければならず、このため支持力ＡｓおよびＡｖが導かれる。支持力ＡｓおよびＡｖは、ピストンガイド１０の下端の領域に概念化されて示されている。力伝達の中心の横ずれは、ピストン軸１２における概念化された力の導入点ＫｓおよびＫｖを生じさせることになる。したがって、吸引運動に関する力の導入点Ｋｓは、接合構造部の力伝達の中心Ｋよりピストン４およびピストンガイド１０から遠くなるのに対し、圧縮運動に関する力導入点Ｋｖは、接合構造部の力伝達の中心Ｋよりピストン４に近くなる。これは、（図３による）吸引運動の場合には、横方向の力Ｑｓがピストンガイド１０から遠くなるように導かれるのに対し、（図４による）圧縮運動中は、横方向の力Ｑｖがピストンガイド１０に近づくように導かれ、力伝達の中心Ｋとピストン軸１２との間にずれがないことを意味する。これは、吸引運動の場合には、ずれがない配置に関して、ピストン上で相対的に増大するモーメントとなり、圧縮運動の場合には、相対的に減少するモーメントとなる。したがって、同様の挙動が、支持力ＡｓおよびＡｖに関して生じ、好ましい実施形態では、ほぼ同様である。
【００２２】
本発明による接合構造部６の第２の例示的実施形態が、図５に示されている。接合構造部６は、２つの球形の摺動／案内面６ａ、６ｂを有する受入部を有し、球台の形状の摺動面１８ａを備えた第１の摺動要素１８および球台の形状の摺動面１９ａを備えた第２の摺動要素１９が取り付けられている。第１の摺動要素１８は連接するピストンに面する側に配置され、第２の摺動要素１９は旋回ディスク５のピストンとは逆に面する側に配置されるため、旋回ディスク５は摺動要素１８、１９によって包囲される。
【００２３】
第１の摺動要素１８の幾何学的中心Ｍ１は旋回ディスク５の中心面５ａとピストン（図示せず）との間に配置されるのに対し、第２の摺動要素１９の幾何学的中心Ｍ２は中心面５ａ上に位置している。したがって、摺動面１８ａおよび１９ａの異なる曲率半径は、同一角の位置移動可能性があるために与えられるものであり、より小さい半径はピストンガイドと同じ側に配置される摺動要素１８上に形成される。旋回ディスク５の「中立位置」において、すなわち旋回ディスクおよび機械軸が角度９０°をなすとき、摺動要素１８、１９は旋回ディスク５にある程度の遊びを伴って設置されているため、往復動ピストン式機械が始動するとき、摺動要素と旋回ディスクとの間に小さい摩擦力が生じ、潤滑膜を急速に形成することができる。旋回ディスク５に傾きがある（旋回角度が増大する）場合には、上記の遊びは幾何学的な理由から減少するため、最終的には、図５に示されているように、負荷がない状態の旋回ディスクの傾きの場合には、接合構造部の控えが存在する（プレストレス）。このプレストレスは、往復動ピストン式機械が作動中に生じる力のために、接合構造部６がたわむことで補正される。理想的には、負荷状態で、静的なプレストレスと接合構造部における動的な作動力とが相殺される。
【００２４】
旋回ディスク５の角度が増大すると共に、接合構造部６によって吸収されることになる負荷はピストンの移動の両方向において増大するため、これは、接合構造部６の弾性たわみの増大を生じさせ、それに対応する騒音を生じさせる。提案された装置によって、これは吸引動作中および圧縮動作中のいずれにおいても著しく低減するか、または排除される。
【００２５】
接合構造部６の力伝達の中心は、プレストレスが生じている状態で、２つの幾何学的中心Ｍ１、Ｍ２の間に配置されているため、ピストンへの力の導入は一般に、ピストンガイドにより近い位置で行われ、（中心面５ａ上に力伝達の中心を有する装置に比べて）より低い傾斜モーメントがピストンに加えられる。しかしながら、例示的実施形態では、幾何学的中心Ｍ１、Ｍ２は中心面５ａに対してほぼ鏡面対称に配置され、力伝達の中心は中心面５ａ上に配置されることを提供している。
【００２６】
本発明による接合構造部６の第３の例示的実施形態が、図６に示されている。接合構造部６は、上述の例示的実施形態に対応する２つの摺動要素２０、２１を具備している。摺動要素２０、２１は、いずれの場合も球台の形状であり、受入部６ｃ、６ｄにおいて摺動する摺動面２０ａ、２１ａを有する。摺動面２０ａ、２１ａは幾何学的中心Ｍ３、Ｍ４を有し、幾何学的中心Ｍ３、Ｍ４の一方はほぼ旋回ディスク５の中心面５ａ上に配置され、他方は往復動ピストン式機械のすべてのピストン軸１２（図１〜図３参照）が位置決めされているシリンダ包囲部上に配置されている。旋回ディスクの回転方向に示されるように（矢印ｗ）、ピストンガイドにより近い位置に配置された摺動要素２０の幾何学的中心Ｍ３は、対向する摺動要素２１の中心Ｍ４の背後に配置される。結果として、図６に示されているような旋回ディスク５の傾きの場合には、幾何学的な理由から、旋回ディスクの「中立位置」において形成される遊びが減少する。したがって、摺動要素２０、２１の控えは、図６による吸引運動中に行われる。反対方向における旋回ディスク５の傾き（図示されていないが、圧縮運動）の場合には、「中立位置」において形成される遊びが増大する。
【００２７】
修正した例示的実施形態において、ピストン接合構造部が提供され、これは、球台の形状である摺動面を有するスライダを有し、上述の例示的実施形態に存在する特徴の組み合わせによれば、連接されたピストン軸の前方に位置決めされる中心が、ピストン軸に平行な方向において互いから一定の距離にある、および／または旋回ディスクの回転方向において互いにずれている。
【００２８】
提案された接合構造部によって、本質的に同様の寸法で、先行技術による往復動ピストン式機械に比べて、旋回ディスクとピストンとの間の力伝達の領域においてより高い動的負荷に耐えうる往復動ピストン式機械を設計することができる。同時に低減または均質化された力の状態がピストンガイドおよび接合構造部において得られる。これは、より高い性能となると共に、より動作が静かになり、運転時の騒音が低くなる。
【図面の簡単な説明】
【００２９】
【図１】本発明による往復動ピストン式機械の縦断面図を示している。
【図２】図１による往復動ピストン式機械の機能の基本図を示している。
【図３】本発明による接合構造部の第１の例示的実施形態の機能の基本図を示している。
【図４】本発明による接合構造部の第１の例示的実施形態の機能の基本図を示している。
【図５】接合構造部の第２の例示的実施形態の機能の基本図を示している。
【図６】接合構造部の第３の例示的実施形態の機能の基本図を示している。
【図１】
2005509102.tif 000003
【図２】
2005509102.tif 000004
【図３】
2005509102.tif 000005
【図４】
2005509102.tif 000006
【図５】
2005509102.tif 000007
【図６】
2005509102.tif 000008
【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
往復動ピストン式機械、特に、自動車空気調整システム用の冷媒圧縮器（１）において、
機械軸（２）と、
ピストン軸が、それぞれの場合において前記機械軸の周りのシリンダ包囲部上において前記機械軸から所定の距離に配置される複数のピストン（４）と、
前記機械軸（２）によって駆動される特に環状の旋回ディスク（５）であって、
それぞれの場合において接合構造部（６）によって前記ピストンと係合する旋回ディスク（５）と、を有し、
前記接合構造部が、少なくとも部分的に球形の受入部を有し、
少なくとも１つの摺動または回転要素が、連接するピストンおよび前記旋回ディスクに対して可動に配置される往復動ピストン式機械であって、
第１の摺動要素（１８、２０）が第１の幾何学的中心（Ｍ１、Ｍ３）を備えた球台の形状の第１の摺動面（１８ａ、２０ａ）を有し、
第２の摺動要素（１９、２１）が第２の幾何学的中心（Ｍ２、Ｍ４）を備えた球台の形状の第２の摺動面（１９ａ、２１ａ）を有し、前記第１の幾何学的中心および前記第２の幾何学的中心が互いから一定の距離で配置されることを特徴とする往復動ピストン式機械。
【請求項２】
前記接合構造部（６）が、力伝達の中心（Ｋ）を割り当てられ、前記力伝達の中心（Ｋ）は、前記ピストン軸のシリンダ包囲部にほぼ配置され、かつ、
前記旋回ディスク（５）の回転方向に対して連接するピストン軸（１２）の前に位置決めされることを特徴とする請求項１に記載の往復動ピストン式機械。
【請求項３】
前記第１の幾何学的中心が前記旋回ディスク（５）の前記中心面（５ａ）の前記ピストンガイドに面する側に配置され、前記第２の幾何学的中心が前記旋回ディスクの前記中心面の前記ピストンガイドとは逆の側に配置されることを特徴とする請求項１あるいは２に記載の往復動ピストン式機械。
【請求項４】
前記第１の幾何学的中心（Ｍ１）が前記旋回ディスクの前記中心面（５ａ）の前記ピストンガイドに面する側に配置され、前記第２の幾何学的中心（Ｍ２）がほぼ前記旋回ディスクの前記中心面（５ａ）上または前記旋回ディスクの前記中心面（５ａ）の前記ピストンガイドに面する側に配置されることを特徴とする請求項１〜３のいずれか一項に記載の往復動ピストン式機械。
【請求項５】
前記第１の幾何学的中心（Ｍ３）が前記第２の幾何学的中心（Ｍ４）に対する回転方向（ｗ）においてずれるように前記シリンダ包囲部上に配置されることを特徴とする請求項１〜４のいずれか一項に記載の往復動ピストン式機械。
【手続補正２】
【補正対象書類名】明細書
【補正対象項目名】０００２
【補正方法】変更
【補正の内容】
【０００２】
公開公報特許文献１が、一般的な往復動ピストン式機械について開示している。この往復動ピストン式機械は機械の筐体を具備し、その中に複数のピストンが回転駆動軸を中心にした円形の構成に配置されている。駆動力は、駆動軸からドライバによって環状旋回ディスクに伝達され、次に環状旋回ディスクから接合構造部によって機械軸に平行な並進移動において移動可能なピストンに伝達される。この場合には、一方では、旋回ディスクは、機械軸に直線上に移動可能であるように固締される滑りスリーブに旋回可能であるように取り付けられる。他方では、上記の旋回ディスクは、球状キャップの形状の２つの滑りブロックによって、旋回ディスクの周囲の接合構造部に沿って摺動可能である。接合構造部において、個別に連接するピストン軸の延長部に配置され、滑りブロックの球形摺動面の幾何学的中心を形成する力伝達の中心が形成される。機械軸、ドライバ、旋回ディスクおよび接合構造部がいわゆる駆動空間に配置され、往復動ピストン式機械の気体作動媒体が一定の圧力下で存在する。ピストンの供給容積および行程、機械軸に対する旋回ディスクの傾斜は、ピストンの吸気側と圧力側との間の圧力比に左右されるか、または一方ではシリンダ、他方では駆動空間における圧力に対応して左右される。特許文献２は、斜板が固定位置に固着されている回転駆動軸を有する斜板式圧縮器の形状の往復動ピストン式機械を開示している。複数のピストンが斜板によって連接され上記のピストンのピストン軸がそれぞれの場合において、シリンダ包囲部上の斜板の周囲に機械軸から同一距離で配置されている。斜板とピストンとの連結のために、各ピストンは、球台の形状の受入部に取り付けられ、連接するピストンに配置され、斜板上で摺動する２つの摺動要素を割り当てられる。摺動要素は、半球状の端部分を有する円筒形に設計される。斜板と駆動軸との間の一定の角度のために、圧縮器の作動時には、摺動要素の位置は変化しないため、摺動要素と斜板との間に一定の遊びを設けることができる。
【手続補正３】
【補正対象書類名】明細書
【補正対象項目名】０００３
【補正方法】変更
【補正の内容】
【０００３】
【特許文献１】独国特許出願公開  １９７  ４９  ７２７  Ａ１号明細書
【特許文献２】米国特許第４  ７６２  ４６８号明細書
【手続補正４】
【補正対象書類名】明細書
【補正対象項目名】０００５
【補正方法】変更
【補正の内容】
【０００５】
本目的は、請求項１の特徴を有する往復動ピストン式機械によって実現される。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明による往復動ピストン式機械は、第１の摺動要素が第１の幾何学的中心を備えた球台の形状の第１の摺動面を有し、第２の摺動要素が第２の幾何学的中心を備えた球台の形状の第２の摺動面を有し、第１および第２の中心が互いから一定の距離に配置されることによって特徴付けられる。この装置には余裕があることが好ましく、好適には、正確には旋回ディスクが機械軸と直角を成し、ピストン運動が生じていない「中立位置」であるとき、遊びがあることによって実現される。この場合には、受入部の半径は、摺動面の半径にほぼ等しい。機械軸と９０°未満の角度をなす動作位置に旋回ディスクが調整されている間、摺動要素は受入部によって旋回ディスクに対し圧力をかけている。これにより、旋回ディスクの中立位置からのずれが増大した場合に、接合構造部をプレストレスにすることを、特に容易に実現することができる。本発明の改良例において、接合構造部はピストン軸のシリンダ包囲部にほぼ配置され、旋回ディスクの回転方向に対して連接するピストン軸の前に位置決めされる力伝達の中心が割り当てられる。力伝達の中心は、旋回ディスクと個別のピストンとの間の力伝達が理想的な方法で行われるときの幾何学的な軌跡である。さらに、力伝達の中心は、接合構造部の回転中心と、好適には、複数の摺動または回転要素の共通の中心と、を構成する。ピストン軸によって画定されるシリンダ包囲部上で置き換えられることになっている力伝達の中心によって、対応するピストンへ導入される力は影響を受け得る。力伝達の中心がピストン軸の延長上に配置されるという既知の解法に基づいて、力伝達の中心の位置は旋回ディスクの回転方向とは逆のピストン軸の前方に置き換えられることになっており、旋回ディスクの傾斜構成を考慮すると、ピストンに作用するトルクまたは傾斜モーメント、および対応するピストンガイドの支持力が減少する。
【手続補正８】
【補正対象書類名】明細書
【補正対象項目名】０００９
【補正方法】変更
【補正の内容】
【０００９】
本発明のさらなる改良例において、第１の幾何学的中心はピストンガイドに面する旋回ディスクの中心面の側面に配置され、第２の幾何学的中心はピストンガイドとは反対側の旋回ディスクの中心面の側面に配置される。好ましくは、中立位置では、構成は、旋回ディスクの中心面に対して対称に実現される。これは、中立位置から旋回ディスクの任意のずれが生じる場合には、既存の遊びの一様な減少および／または摺動要素の一様な控えを生じることになる。
【国際調査報告】
2005509102.tif 000009
2005509102.tif 000010
2005509102.tif 000011
2005509102.tif 000012
2005509102.tif 000013
2005509102.tif 000014